(57)【特許請求の範囲】
【請求項１】
ペット用オムツの外面側に装着されペット用オムツの尻尾挿通開口に対応して尻尾挿通部が形成されると共に尻尾挿通部の下部側に大便捕捉開口が形成された内側部分と、この内側部分と一体に形成され前記尻尾挿通部に対応して尻尾引出部が設けられた外側部分と、前記内側部分と前記外側部分との間に形成されて前記大便捕捉開口から捕捉された大便が収容される収容部とを備えたペット用オムツの大便袋であって、
前記ペット用オムツから離脱させた状態で前記収容部内を密封可能な密封手段が、前記内側部分の前記ペット用オムツ側の面の前記尻尾挿通部及び大便捕捉開口の周囲全域に設けられており、
前記尻尾挿通部と前記大便捕捉開口とが一つの開口で形成されており、
前記大便袋が前記内側部分を内側にして折り畳まれることにより、前記外側部分の前記尻尾引出部が前記内側部分の外面で閉鎖されると共に、前記内側部分の前記尻尾挿通部及び前記大便捕捉開口が前記内側部分の外面で閉鎖されるように構成されており、
前記密封手段は、前記内側部分を内側にして折り畳まれた前記大便袋の前記内側部分同士を接着し、かつ前記内側部分を内側にして折り畳まれた前記大便袋の前記内側部分と前記外側部分とを接着可能な接着部材であることを特徴とするペット用オムツの大便袋。
【請求項２】
請求項１記載のペット用オムツの大便袋であって、
前記密封手段は、前記内側部分において前記大便捕捉開口から間隔を有して配置されていることを特徴とするペット用オムツの大便袋。
【請求項３】
請求項２記載のペット用オムツの大便袋であって、
前記接着部材は、非接着性のセパレータを有していることを特徴とするペット用オムツの大便袋。
【請求項４】
請求項１乃至請求項３のいずれか１項に記載のペット用オムツの大便袋であって、
少なくとも前記外側部分が半透明であることを特徴とするペット用オムツの大便袋。
【発明の詳細な説明】
【技術分野】
【０００１】
本発明は、犬、猫等のペットに着用されるペット用オムツの大便袋に関する。
【背景技術】
【０００２】
特許文献１及び２には、ペット用オムツの外面側にペットからの大便を受け入れる大便袋を備えた構造が開示されている。大便袋は、ペット用オムツの外面側に粘着剤によって取り付けられるものであり、ペット用オムツの尻尾挿通口に対応した開口部及び大便が通過する便用開口部を備えている。そして、ペットから排泄される大便を便用開口部から袋体内に収容するようになっている。大便が収容された袋体はペット用オムツから取り外した後、大便を取り出して廃棄したり、大便を収容したままペット用オムツに包んで廃棄している。
【特許文献１】特開２００３−２２００９０号公報
【特許文献２】特開２００５−３３３９５４号公報
【発明の開示】
【発明が解決しようとする課題】
【０００３】
しかしながら従来の大便袋では、廃棄の際に大便が袋体からしみ出したり、大便の臭いが周囲に発散しており、取り扱いの際に不快感を与える問題を有している。
【０００４】
そこで、本発明は、大便や臭いを確実に遮断して不快感を解消することが可能なペット用オムツの大便袋を提供することを目的とする。
【課題を解決するための手段】
【０００５】
請求項１の発明のペット用オムツの大便袋は、 ペット用オムツの外面側に装着されペット用オムツの尻尾挿通開口に対応して尻尾挿通部が形成されると共に尻尾挿通部の下部側に大便捕捉開口が形成された内側部分と、この内側部分と一体に形成され前記尻尾挿通部に対応して尻尾引出部が設けられた外側部分と、前記内側部分と前記外側部分との間に形成されて前記大便捕捉開口から捕捉された大便が収容される収容部とを備えたペット用オムツの大便袋であって、前記ペット用オムツから離脱させた状態で前記収容部内を密封可能な密封手段を、前記内側部分の前記尻尾挿通部及び大便捕捉開口の周囲に設けたことを特徴とする。
【０００６】
請求項２の発明は、請求項１記載のペット用オムツの大便袋であって、前記内側部分を内側にして折り畳んだ状態で前記外側部分の尻尾引出部が内側部分で閉塞され、前記内側部分の尻尾挿通部及び大便捕捉開口が内側部分で閉塞され、前記密封手段は折り畳まれた内側部分同士を接着可能な接着部材であることを特徴とする。
【０００７】
請求項３の発明は、請求項２記載のペット用オムツの大便袋であって、前記接着部材は、非接着性のセパレータを有していることを特徴とする。
【０００８】
請求項４の発明は、 請求項２又は請求項３に記載のペット用オムツの大便袋であって、前記接着部材は、尻尾挿通部及び大便捕捉開口の周囲全域にわたり形成されていることを特徴とする。
【０００９】
請求項５の発明は、請求項１乃至請求項４のいずれか１項に記載のペット用オムツの大便袋であって、少なくとも前記外側部分が半透明であることを特徴とする。
【００１０】
請求項６の発明は、請求項１乃至請求項５のいずれか１項に記載のペット用オムツの大便袋であって、前記尻尾挿通部と前記大便捕捉開口とが一つの開口で形成されていることを特徴とする。
【発明の効果】
【００１１】
本発明によれば、密封手段を尻尾挿通部及び大便捕捉開口の周囲に設けているため、大便袋をペット用オムツから離脱させた状態で大便袋の開口部分を封鎖することができる。これにより、大便袋からの大便のしみ出しや臭いの発散を防止することができ、取り扱い時の不快感を解消することができる。
【発明を実施するための最良の形態】
【００１２】
図１〜図４は本発明の一実施形態を示し、図１は使用状態の断面図、図２は正面図、図３は背面図、図４は折り畳む状態を説明する正面図である。
【００１３】
この実施形態の大便袋１はペット用オムツ２の外面側に装着されて使用される。ペット用オムツ２はペットの臀部３を覆うようにペットに着用される。ペット用オムツ２は尻尾挿通開口４が形成されており、尻尾挿通開口４に尻尾５が挿通されて引っ掛けられることによりペット用オムツ２の大まかな位置決めが可能となっている。この場合、尻尾挿通開口４の下部には便排泄穴６が連通状態で形成されるものである。
【００１４】
大便袋１は、内側部分１１と、外側部分１２と、収容部１３とを備えた袋状となっている。大便袋１は全体がポリエチレン、ポリプロピレン等のポリオレフィン等の樹脂により成形されている。内側部分１１はペット用オムツ２側に位置するものであり、外側部分１２はペット用オムツ２から離れた側に位置する。
【００１５】
内側部分１１は、ペット用オムツ２の尻尾挿通開口４に対応した尻尾挿通部１５と、尻尾挿通部１５の下部側の大便捕捉開口１６とが形成され、その他の部分は閉鎖されている。
【００１６】
大便捕捉開口１６は尻尾挿通部１５を起点としてその下側に大きく開口されるものである。大便捕捉開口１６は、尻尾の下の肛門位置からの大便を収容するための開口穴であり、尻尾挿通部１５の中心部を含み、且つ尻尾挿通部１５の下部から下方に少なくとも１０mm以上伸びた形状となっている。尻尾挿通部１５は、ペット用オムツ２の尻尾挿通開口４を通過した尻尾５が挿通する部分であり穴状であっても良く、十字状やＸ字状のスリットによって形成しても良い。
【００１７】
外側部分１２は内側部分１１の後側に一体的に連設されており、内側部分１１の尻尾挿通部１５に対応した尻尾引出部１７が形成され、その他の部分は閉鎖されている。尻尾引出部１７はペットの尻尾５が引き出される部分である。尻尾引出部１７としては穴状であっても良く、十字状やＸ字状のスリットにより形成しても良い。
【００１８】
収容部１３は内側部分１１及び外側部分１２の間に形成された空間部分である。ペットの大便はペット用オムツ２の便排泄穴６を通って内側部分１１の大便捕捉開口１６から収容部１３内に入り込む。これにより、ペットの大便を捕捉することができる。
【００１９】
この実施形態において、図２に示すように内側部分１１の尻尾挿通部１５及び大便捕捉開口１６の周囲には密封手段としての接着剤１８が設けられている。接着剤１８は内側部分１１におけるペット用オムツ２側の面に設けられる。この接着剤１８としてはホットメルト接着剤、その他の接着剤を使用することができる。
【００２０】
接着剤１８の形成領域は、尻尾挿通部１５及び大便捕捉開口１６の周囲であり、これらの全周にわたって設けることが好ましい。これに限らず、ストライプパターン、ドットパターン等のように全周にわたることなく接着剤１８を設けても良い。この場合、接着剤１８は大便捕捉開口１６から５〜２０mmの程度の間隔を有してその周囲に設けることが好ましい。ペットの毛への接着を回避するためである。
【００２１】
このように尻尾挿通部１５及び大便捕捉開口１６の周囲に接着剤１８を設けることにより、内側部分１１を内側にして大便袋１を折り畳むと、外側部分１２の尻尾引出部１７が内側部分１１の外面で閉鎖されると共に、内側部分１１の尻尾挿通部１５及び大便捕捉開口１６が内側部分１１の外面で閉鎖される。図４において、符号２０は大便袋１を折り畳む際の目安となる折り畳み線である。
【００２２】
このような実施形態では、大便袋１を折り畳むことにより、内側部分１１の尻尾挿通部１５及び大便捕捉開口１６が閉鎖されると共に、外側部分１２の尻尾引出部１７も閉鎖される。このため、大便が大便袋１からしみ出したり、臭いが周囲に発散することがなくなる。従って、取り扱いの際の不快感を解消することができる。
【００２３】
本発明においては、大便袋１の全体又は少なくとも外側部分１２を透明又は半透明とすることが良好である。透明又は半透明とすることによりペットの排便を外から知ることができる。又、ペットが排出した尿の湿気が大便袋１まで到達し、大便袋１の内部で結露したり曇ることにより排尿をインジケートすることも可能となる。
【００２４】
本発明においては、接着剤１８の外面に非接着性のセパレータ（図示省略）を設けても良い。セパレータは非使用時には接着剤１８を覆っており、大便袋１が他の部材に不用意に接着されることを防止できる。かかるセパレータとしては、２枚以上に分割されているものが良好である。これにより一方のセパレータを取り外した状態で大便袋１の一部をペット用オムツ２に仮接着し、その後、残りのセパレータを取り外してペット用オムツ２に接着することにより大便袋１の全体をペット用オムツ２に取り付けることができ、使用時の操作性が良好となる。このように、セパレータを設ける場合には、大便袋１のみの交換が可能となり、大便袋１のみの販売も可能となる。
【００２５】
本発明は以上の実施形態に限定されることなく種々変形が可能である。例えば、内側部分１１における尻尾挿通部１５と大便捕捉開口１６とを別々に形成しても良い。又、尻尾挿通部１５や尻尾引出部１７の周辺に収縮性ゴム等の弾性材を配置して尻尾との密着性を向上させても良い。
【図面の簡単な説明】
【００２６】
【図１】本発明の一実施形態の使用状態を示す断面図である。
【図２】一実施形態の大便袋の正面図である。
【図３】大便袋の背面図である。
【図４】大便袋の折り畳みを説明する正面図である。
【符号の説明】
【００２７】
１  大便袋
２  ペット用オムツ
４  尻尾挿通開口
６  便排泄穴
１１  内側部分
１２  外側部分
１３  収容部
１５  尻尾挿通部
１６  大便捕捉開口
１７  尻尾引出部
１８  接着剤
２０  折り畳み線
【図１】
0005096984.tif 000002
【図２】
0005096984.tif 000003
【図３】
0005096984.tif 000004
【図４】
0005096984.tif 000005